(57)【要約】【課題】生徒の活動を示す画像データに基づいて、その画像データに関連を有する生徒を自動的に特定する。【解決手段】データ処理装置は、生徒の活動を示す画像データを取得する。次に、データ処理装置は、画像データを分析し、当該画像データに関連を有する生徒を特定する。そして、データ処理装置は、その画像データを含み、前記特定手段により特定された生徒に対応する端末装置を送信先とする送信データを生成する。【選択図】図２
2020042391.tif 000002
【特許請求の範囲】
【請求項１】
生徒の活動を示す画像データを取得するデータ取得手段と、
前記画像データを分析し、当該画像データに関連を有する生徒を特定する特定手段と、
前記画像データを含み、前記特定手段により特定された生徒に対応する端末装置を送信先とする送信データを生成する生成手段と、
を備えるデータ処理装置。
【請求項２】
前記特定手段は、前記画像データに含まれる文字列と、前記生徒の識別情報を示す文字列とを照合することにより、前記生徒を特定する請求項１に記載のデータ処理装置。
【請求項３】
前記特定手段は、前記画像データに含まれる顔画像と、前記生徒の顔画像とを照合することにより、前記生徒を特定する請求項１又は２に記載のデータ処理装置。
【請求項４】
前記特定手段は、前記画像データに含まれるコード情報を抽出し、前記生徒の識別情報を示すコード情報と照合することにより、前記生徒を特定する請求項１乃至３のいずれか一項に記載のデータ処理装置。
【請求項５】
前記送信データを、前記端末装置へ送信する送信手段を備える請求項１乃至４のいずれか一項に記載のデータ処理装置。
【請求項６】
前記送信手段は、前記送信データを表示部に表示し、送信を許可する指示が入力された場合に、当該送信データを前記端末装置へ送信する請求項５に記載のデータ処理装置。
【請求項７】
コンピュータを備える装置により実行されるプログラムであって、
生徒の活動を示す画像データを取得するデータ取得手段、
前記画像データを分析し、当該画像データに関連を有する生徒を特定する特定手段、
前記画像データを含み、前記特定手段により特定された生徒に対応する端末装置を送信先とする送信データを生成する生成手段、
として前記コンピュータを機能させるプログラム。
【発明の詳細な説明】
【技術分野】
【０００１】
本発明は、生徒に関連する情報を保護者へ配信する技術に関する。
【背景技術】
【０００２】
学校などの教育機関における生徒の行動に関連する情報を、保護者に配信、通知する技術が知られている。例えば、特許文献１では、生徒の成績情報、授業への出欠情報、教室への入退室情報などを電子掲示板や電子メールにより保護者に通知するシステムを開示している。
【先行技術文献】
【特許文献】
【０００３】
【特許文献１】特開２００２−２６９２４７号公報
【発明の概要】
【発明が解決しようとする課題】
【０００４】
学校における生徒の活動を撮影した画像などを保護者に配信して、学校における生徒の様子を保護者に知らせることができると便宜である。しかし、撮影した画像に含まれる生徒の保護者に対してその撮影画像を送信するためには、先生などが撮影した画像を見てその画像に含まれる各生徒を特定する必要があり、その作業は煩雑となる。
【０００５】
本発明は、生徒の活動を示す画像データに基づいて、その画像データに関連を有する生徒を自動的に特定することが可能なデータ処理装置を提供することを主な目的とする。
【課題を解決するための手段】
【０００６】
本発明の１つの観点では、データ処理装置は、生徒の活動を示す画像データを取得するデータ取得手段と、前記画像データを分析し、当該画像データに関連を有する生徒を特定する特定手段と、前記画像データを含み、前記特定手段により特定された生徒に対応する端末装置を送信先とする送信データを生成する生成手段と、を備える。
【０００７】
上記のデータ処理装置は、まず、生徒の活動を示す画像データを取得する。次に、データ処理装置は、画像データを分析し、当該画像データに関連を有する生徒を特定する。そして、データ処理装置は、画像データを含み、特定手段により特定された生徒に対応する端末装置を送信先とする送信データを生成する。これにより、生徒の活動を示す画像データから、それに関連を有する生徒を自動的に特定し、その画像データの送信先を決定することができる。
【０００８】
上記のデータ処理装置の一態様では、前記特定手段は、前記画像データに含まれる文字列と、前記生徒の識別情報を示す文字列とを照合することにより、前記生徒を特定する。この態様では、画像データに含まれる文字列に基づいて生徒が特定される。
【０００９】
上記のデータ処理装置の他の一態様では、前記特定手段は、前記画像データに含まれる顔画像と、前記生徒の顔画像とを照合することにより、前記生徒を特定する。この態様では、画像データに含まれる顔画像に基づいて生徒が特定される。
【００１０】
上記のデータ処理装置の他の一態様では、前記特定手段は、前記画像データに含まれるコード情報を抽出し、前記生徒の識別情報を示すコード情報と照合することにより、前記生徒を特定する。この態様では、画像データに含まれるコード情報に基づいて生徒が特定される。
【００１１】
上記のデータ処理装置の他の一態様は、前記送信データを、前記端末装置へ送信する送信手段を備える。この態様では、送信データが、特定された生徒に対応する端末装置へ送信される。
【００１２】
上記のデータ処理装置の他の一態様では、前記送信手段は、前記送信データを表示部に表示し、送信を許可する指示が入力された場合に、当該送信データを前記端末装置へ送信する。この態様では、送信を許可する指示がなされた場合にのみ、送信データが送信される。
【００１３】
本発明の他の観点では、コンピュータを備える装置により実行されるプログラムは、生徒の活動を示す画像データを取得するデータ取得手段、前記画像データを分析し、当該画像データに関連を有する生徒を特定する特定手段、前記画像データを含み、前記特定手段により特定された生徒に対応する端末装置を送信先とする送信データを生成する生成手段、として前記コンピュータを機能させる。このプログラムをコンピュータで実行することにより、上記のデータ処理装置を実現することができる。
【図面の簡単な説明】
【００１４】
【図１】本発明を適用したデータ配信システムの構成を示す。
【図２】サーバ装置の機能構成を示すブロック図である。
【図３】生徒関連データの例を示す。
【図４】生徒関連データの他の例を示す。
【図５】データ配信処理のフローチャートである。
【発明を実施するための形態】
【００１５】
以下、図面を参照しながら、本発明の実施の形態について説明する。
［全体構成］
図１は、本発明を適用したデータ配信システムの構成を示す。データ配信システムは、学校などの教育現場から保護者への情報提供に利用される。データ配信システムは、サーバ装置１０と、端末装置２０とを備える。
【００１６】
サーバ装置１０は、学校などの教育現場において収集される、生徒の活動を示すデータ（以下、「活動成果データ」と呼ぶ。）を記憶し、処理する。活動成果データは、学校における生徒の活動に関連するデータである。学校における生徒の活動には、例えば、授業、定期テスト（中間テスト、期末テストなど）、課外活動、クラブ活動、朝礼、ホームルームなどの各種の活動が含まれる。活動成果データは、主として画像データ（動画又は静止画）である。なお、この場合の画像データには、生徒の答案用紙などの文書をスキャナなどで読み取ったデータも含む。
【００１７】
端末装置２０は、生徒の家庭における端末装置であり、典型的には生徒の保護者の端末装置である。通常、端末装置２０は、保護者のスマートフォン、タブレットなどであるが、家庭に設置されたＰＣなどであってもよい。端末装置２０は、サーバ装置１０から受信した生徒関連データを閲覧するためのアプリケーション、具体的には、動画データ、静止画データなどを表示するためのアプリケーションを搭載している。
【００１８】
サーバ装置１０は、学校における活動が行われた際に活動成果データが生成されると、その活動成果データに関連を有する生徒を特定し、その活動成果データ自体又はそれに関連するデータを、生徒関連データとしてその生徒の保護者の端末装置２０へ送信する。例えば、あるクラスの生徒が音楽の授業中に合唱を行う様子を撮影し、動画データが生成されたとする。サーバ装置１０は、その動画データを活動成果データとして取得し、それに含まれる生徒、即ち、その動画中に登場する生徒を特定する。そして、サーバ装置１０は、その生徒の保護者の端末装置２０に、その動画データを生徒関連データとして送信する。保護者は、端末装置２０で受信した生徒関連データを見ることにより、学校における自分の子供の活動の様子を知ることができる。
【００１９】
図２は、サーバ装置１０の機能構成を示すブロック図である。サーバ装置１０は、通信部１１と、制御部１２と、記憶部１３と、生徒特定部１４と、生徒情報データベース（以下、「データベース」を「ＤＢ」と記す。）１５と、配信情報ＤＢ１６とを備える。これらの構成要素は、バス１９により接続されている。
【００２０】
通信部１１は、図示しないインターネットなどを通じて、保護者の端末装置２０と無線通信するための通信機能を備える。サーバ装置１０により用意された生徒関連データは、通信部１１により保護者の端末装置２０へ送信される。また、必要に応じて、通信部１１は外部から活動成果データを受信する。例えば、課外活動や修学旅行などにおいて撮影した画像データを先生が活動成果データとしてサーバ装置１０へアップロードした場合、通信部１１は、先生の端末装置などからその画像データを受信する。
【００２１】
記憶部１３は、ＲＯＭ、ＲＡＭ、その他のメモリにより構成され、制御部１２が実行する各種の処理のプログラムを記憶している。また、記憶部１３は、制御部１２が各種の処理を実行する際の作業メモリとしても機能する。制御部１２は、ＣＰＵなどのプロセッサにより構成され、記憶部１３に記憶されている各種の処理のプログラムを実行することにより、サーバ装置１０全体を制御する。
【００２２】
生徒情報ＤＢ１５は、生徒に関連する情報を生徒毎に記憶している。具体的には、各生徒を識別する生徒ＩＤと対応付けて、生徒の氏名、住所、その生徒の属する学年及びクラス（例えば、２年Ａ組など）、クラブ活動としてその生徒が所属しているクラブ名（例えば、野球部、吹奏楽部など）、その生徒の保護者の端末装置２０を特定する情報（例えば、メールアドレス、ＩＰアドレスなど）を記憶している。さらに、生徒情報ＤＢ１５は、その生徒を顔認証するために、顔画像又は顔画像の特徴量情報を記憶している。
【００２３】
生徒特定部１４は、学校における生徒の活動を示す活動成果データに基づいて、その活動成果データに関連を有する生徒を特定する。例えば、活動成果データが、複数の生徒の活動の様子を撮影した画像データ（動画又は静止画）である場合、生徒特定部１４は、その画像データから複数の生徒の顔画像を抽出し、生徒情報ＤＢ１５に記憶されている各生徒の顔画像又は顔画像の特徴量と照合することにより、その画像データに写っている生徒を特定する。また、画像データに、各生徒の名札や名前が写っている場合には、生徒特定部１４は、画像データ中の名前を抽出して文字認識を行い、生徒情報ＤＢ１５に記憶されている各生徒の氏名と照合することにより各生徒を特定しても良い。
【００２４】
他の例では、活動成果データが、ある生徒の製作物や作品を撮影した画像データである場合、生徒特定部１４は、その製作物や作品に付されている氏名を文字認識し、生徒情報ＤＢ１５に記憶されている各生徒の氏名と照合することにより生徒を特定する。なお、生徒の製作物や作品などに、その生徒の生徒ＩＤに対応するコード情報（例えば、バーコード、ＱＲコード（登録商標）など）が付されている場合、生徒特定部１４は、そのコード情報から生徒ＩＤを取得し、生徒情報ＤＢ１５に記憶されている生徒ＩＤと照合することにより生徒を特定しても良い。また、活動成果データが、その生徒がタブレットなどの機器を用いて作成した作品などである場合、生徒特定部１４は、そのタブレットへのログイン情報に基づいて生徒を特定してもよい。
【００２５】
また、活動成果データが、定期テストなどにおける生徒の答案用紙の画像データである場合、生徒特定部１４は、答案用紙に記入された生徒の氏名に基づいて生徒を特定することができる。また、答案用紙に生徒ＩＤに対応するコード情報が印刷されていたり、シールとして貼付されている場合には、生徒特定部１４は、そのコード情報を読み取り、生徒情報ＤＢ１５に記憶されている生徒ＩＤと照合することにより生徒を特定することができる。
【００２６】
生徒特定部１４により活動成果データに関連を有する生徒が特定されると、制御部１２は、その生徒の保護者の端末装置２０へ生徒関連データを送信する。ここで、保護者の端末装置２０へ送信される生徒関連データは、その活動成果データ自体である場合と、その活動成果データ自体ではないがその活動成果データに関連するデータである場合と、それら両方である場合とがある。例えば、活動成果データが生徒の活動や生徒の製作物を撮影した画像データである場合、その画像データ自体が生徒関連データとして保護者の端末装置２０へ送信される。一方、活動成果データが生徒の答案用紙の画像データである場合、それ自体を生徒関連データとして保護者の端末装置２０へ送信しても良いが、その代わりに又はそれに加えて、その生徒の過去のテスト結果を示すグラフなどのデータを生徒関連データとして保護者の端末装置２０へ送信しても良い。
【００２７】
配信情報ＤＢ１６は、生徒関連データとして保護者の端末装置２０へ送信されたデータを生徒毎に記憶する。よって、配信情報ＤＢ１６には、生徒毎に、過去に保護者の端末装置２０へ送信されたデータが蓄積されている。
【００２８】
上記の構成において、通信部１１は本発明のデータ取得手段及び送信手段の一例であり、生徒特定部１４は本発明の特定手段の一例であり、制御部１２は本発明の生成手段の一例である。
【００２９】
［生徒関連データの例］
図３は、生徒関連データの例を示す。なお、図３は、サーバ装置１０から送信された生徒関連データを、保護者の端末装置２０に表示した状態を示す。図示のように、端末装置２０には、生徒情報エリア３１と、カテゴリータブ３２、３３と、生徒関連データ３４、３５とが表示されている。生徒情報エリア３１には、生徒を識別する情報が表示される。本実施例では、生徒の学校名、クラス、氏名などが表示されている。
【００３０】
カテゴリータブ３２、３３は、生徒関連データとして表示するデータのカテゴリーを指定するためのタブであり、本実施例では「活動の様子」を示すタブ３２と、「テスト結果」を示すタブ３３とが設けられている。図３の表示例は、「活動の様子」を示すタブ３２が選択され、生徒の活動の様子を示す生徒関連データが表示されている状態を示している。
【００３１】
図３の例では、２つの生徒関連データ３４、３５が表示されている。生徒関連データ３４は、生徒が合唱を行っている様子を撮影した動画データであり、保護者は再生ボタン３９を押すことにより、この動画データを再生することができる。この生徒関連データ３４は、４年１組（図３では「４−１」と表示）の生徒全員が合唱している様子を撮影した活動成果データに基づいて送信されたものである。即ち、サーバ装置１０の生徒特定部１４は、４年１組の生徒全員が合唱している動画データに含まれる各生徒の顔画像又は各生徒の名札などに基づいて各生徒を特定し、制御部１２は４年１組の生徒全員の保護者の端末装置２０にこの動画データを生徒関連データとして送信したものである。
【００３２】
一方、生徒関連データ３５は、この生徒（白鳥翔太）の作品（かんさつ記録）を撮影した静止画データであり、この生徒関連データ３５は、この生徒の作品を撮影した活動成果データに基づいて送信されたものである。即ち、サーバ装置１０の生徒特定部１４は、この生徒の作品の静止画データに含まれる氏名に基づいてこの生徒を特定し、制御部１２はこの生徒の保護者の端末装置２０にこの静止画データを生徒関連データとして送信したものである。
【００３３】
図４は、生徒関連データの他の例を示す。なお、図４も、サーバ装置１０から送信された生徒関連データを保護者の端末装置２０に表示した状態を示す。図４の例では、カテゴリータブとして「テスト結果」のタブ３３が選択されており、端末装置２０には生徒関連データとしてテスト結果を示す生徒関連データ３６が表示されている。
【００３４】
図４に例示する生徒関連データ３６は、テスト結果グラフ３７と、テストの答案用紙の画像データ３８とを含む。テスト結果グラフ３７は、この生徒の過去のテストの結果を示している。ここで、テスト結果グラフ３７に含まれる各棒グラフは選択可能となっており、保護者が１つの棒グラフを選択すると、そのときのテストの答案用紙の画像データ３８が表示されるようになっている。図４の例では、保護者により符号３７ｘで示す棒グラフが選択されており、そのときの答案用紙の画像データ３８が表示されている。
【００３５】
［データ配信処理］
次に、生徒関連データを保護者の端末装置２０へ送信するデータ配信処理について説明する。図５は、データ配信処理のフローチャートである。この処理は、図２に示すサーバ装置１０により実行される。詳しくは、制御部１２を構成するプロセッサが、予め用意されたプログラムを実行することにより実現される。
【００３６】
まず、サーバ装置１０は、活動成果データを取得する（ステップＳ１０）。活動成果データは、学校における生徒の活動を示すデータであり、生徒の活動を撮影した画像データ、テストの答案用紙の画像データなどである。サーバ装置１０は、生徒の活動を撮影した画像データを、撮影に用いられた端末装置から受信することにより取得することができる。また、活動成果データを蓄積するフォルダなどを予め決めておき、先生などが活動成果データをそのフォルダに入れることにより活動成果データを取得することとしてもよい。
【００３７】
次に、サーバ装置１０は、生徒特定部１４により、その活動成果データに関連を有する生徒を特定する（ステップＳ１１）。具体的には、活動成果データが生徒の活動の様子を撮影した画像データである場合、サーバ装置１０は、その画像データに含まれる生徒の顔画像や名札の画像などに基づいて、その画像データに関連する生徒を特定する。また、活動成果データが生徒の製作した作品やテストの答案用紙の画像データである場合、サーバ装置１０は、その画像データに含まれる氏名や生徒ＩＤなどを示す情報に基づいて生徒を特定する。
【００３８】
活動成果データに関連を有する生徒を特定すると、サーバ装置１０は、その生徒に対応する送信先、具体的にはその生徒の保護者の端末装置２０へ生徒関連データを送信する（ステップＳ１２）。前述のように、生徒関連データは、生徒の特定に用いられた活動成果データ自体であってもよく、その活動成果データに関連を有する別のデータであってもよく、それら両方であってもよい。こうして、データ配信処理は終了する。生徒の保護者は、端末装置２０により受信した生徒関連データを閲覧することにより、自分の子供の活動の様子を知ることができる。
【００３９】
なお、上記のデータ配信処理においては、関連を有する生徒が特定できると、直ちにその生徒の保護者の端末装置２０へ生徒関連データが送信されているが、送信前に先生などの承認者のチェックを行うこととしてもよい。即ち、サーバ装置１０は、保護者の端末装置２０へ送信する生徒関連データを準備した後、それを送信する前に表示装置に表示するなどして先生などの承認者に提示する。そして、承認者による許可が入力された場合に限り、サーバ装置１０は、その生徒関連データを保護者の端末装置２０へ送信することとしてもよい。
【００４０】
［変形例］
（変形例１）
上記の実施例では、サーバ装置１０は生徒関連データを、保護者の端末装置２０へ送信することとしているが、その代わりに、インターネット上に設けられた情報掲示システムへアップロードし、保護者からのアクセス及び閲覧を可能としてもよい。この場合、各保護者に対しては、自分の子供に関連する生徒関連データ以外は閲覧できないように閲覧権限を行うことが望ましい。
【００４１】
（変形例２）
上記の実施例では、サーバ装置１０は活動成果データに基づいて、その活動成果データに関連を有する個々の生徒を特定しているが、その代わりに、複数の生徒により構成されグループを特定することとしてもよい。例えば、あるクラスの全生徒が参加している活動を示す活動成果データに基づいて、そのクラスを特定し、そのクラスの全生徒の保護者の端末装置２０へ生徒関連データを送信しても良い。また、クラブ活動（例えば野球部）のグループ（例えば、野球部グループ）の単位の活動成果データに基づいて、そのグループを特定し、そのグループに属する全生徒の保護者の端末装置２０へ生徒関連データを送信してもよい。
【符号の説明】
【００４２】
１０  サーバ装置
１１  通信部
１２  制御部
１３  記憶部
１４  生徒特定部
１５  生徒情報ＤＢ
２０  端末装置
【図１】
2020042391.tif 000003
【図２】
2020042391.tif 000004
【図３】
2020042391.tif 000005
【図４】
2020042391.tif 000006
【図５】
2020042391.tif 000007